(57)【要約】【課題】観察者による液晶テレビの画質評価を支援する。【解決手段】マーカ生成部１４、出力部２０及びＯＮ／ＯＦＦ切替部１８が、液晶テレビ５０に原画像と、マーカ画像（輝度Ｐｃ（ｘ，ｙ）が特定範囲にある画素Ｐ（ｘ，ｙ）の輝度値を調整（最大値に設定）して原画像の一部にマーカを出現させた画像）とを切り替えて表示し、制御値入力Ｉ／Ｆ１６が特定範囲を変更する。これにより、原画像を表示し、マーカ画像を表示し、再度原画像を表示し、特定範囲を変更したマーカ画像を表示し、再度原画像を表示し…という処理を繰り返し行うことができるので、観察者による画質評価作業（階調変化の段差箇所とマーカ画像のマーカが一致する部分を特定する作業や、段差の原因となっている輝度を特定する作業など）を好適に支援することが可能である。【選択図】図１
2010010846.tif 000002
【特許請求の範囲】
【請求項１】
表示装置に表示画像を表示させるとともに、前記表示画像のうち、画素に関するパラメータが特定範囲にある画素の輝度値を調整して前記表示画像の一部にマーカを出現させたマーカ画像を、前記表示画像に代えて前記表示装置に表示させる表示手段と、
前記特定範囲を変更する特定範囲変更手段と、
前記表示手段が前記表示装置に前記表示画像を表示させるのと、前記マーカ画像を表示させるのとを交互に切り替える切替手段と、を備える画質評価支援装置。
【請求項２】
前記表示画像は、動画であることを特徴とする請求項１に記載の画質評価支援装置。
【請求項３】
前記特定範囲変更手段は、入力インタフェースを備え、前記入力インタフェースを介して外部から入力された指示に基づいて、前記特定範囲を変更することを特徴とする請求項１又は２に記載の画質評価支援装置。
【請求項４】
第１の表示装置に表示画像を表示させる第１の表示手段と、
前記第１の表示装置と同一種類の第２の表示装置に、前記表示画像のうち、画素に関するパラメータが特定範囲にある画素の輝度値を調整して前記表示画像の一部にマーカを出現させたマーカ画像を、表示させる第２の表示手段と、
前記特定範囲を変更する特定範囲変更手段と、
前記第１の表示手段に表示された表示画像と、前記第２の表示手段に表示されたマーカ画像とを合成して表示する画像合成手段と、を備える画質評価支援装置。
【請求項５】
表示装置に表示画像を表示する表示画像表示ステップと、
前記表示画像のうち、画素に関するパラメータが特定範囲にある画素の輝度値を調整して前記表示画像の一部にマーカを出現させたマーカ画像を、前記表示画像に代えて前記表示装置に表示するマーカ画像表示ステップと、を含み、
前記表示画像表示ステップと、前記マーカ画像表示ステップとは、前記特定範囲が変更されつつ、交互に実行されることを特徴とする画質評価支援方法。
【請求項６】
第１の表示装置に表示画像を表示するとともに、前記第１の表示装置と同一種類の第２の表示装置に、前記表示画像のうち、画素に関するパラメータが特定範囲にある画素の輝度値を調整して前記表示画像の一部にマーカを出現させたマーカ画像を表示し、前記第１の表示手段に表示された表示画像と、前記第２の表示手段に表示されたマーカ画像とを合成して表示する画像表示・合成ステップと、
前記画像表示・合成ステップを行っている間に、前記特定範囲を変更する特定範囲変更ステップと、を含む画質評価支援方法。
【発明の詳細な説明】
【技術分野】
【０００１】
本発明は画質評価支援装置及び画質評価支援方法に関し、特に液晶表示装置などの表示装置の画質を評価するのに用いられる画質評価支援装置及び画質評価支援方法に関する。
【背景技術】
【０００２】
従来より、液晶テレビに代表される薄型テレビの高画質化を図るために、様々な画質改善技術が開発されている。また、これに伴って、画質改善の度合いを客観的に評価する手法が求められている（例えば、特許文献１参照）。
【０００３】
液晶テレビを構成する液晶パネルの内部制御は、基本的にデジタル処理を行う。このため、デジタル処理の際の内部演算による桁落ちや数値丸めによる演算誤差によって、液晶パネルの表示性能に影響が出ている。これらの影響は、液晶パネル上で、例えばグラデーションパターンにおけるトーンジャンプなどとして顕著に現れる。具体的には、図１０（ａ）に示すような滑らかな階調変化（グラデーション）を有する画像の動画（例えば、図１０（ａ）の円形画像が暗くなったり明るくなったりする動画など）を入力画像として表示した場合でも、画像処理回路や表示デバイスの特性等によって元の画像の階調性が失われて、図１０（ｂ）に示すように階調変化に段差が生じて見えることがある。なお、図１０（ａ）では、階調変化の段差が生じているようにも見えるが、これは図面表現上表示されたものであり、図１０（ａ）の状態では、階調変化の段差は肉眼で確認できないものである。
【０００４】
【特許文献１】特開２００８−４２３７１号公報
【発明の開示】
【発明が解決しようとする課題】
【０００５】
液晶テレビの階調表現は、入力画像信号をデジタル処理する処理回路の性能と、処理済みの画像信号を表示する表示パネルの性能とにより様相が変化する。処理回路の性能評価ならば、処理回路の前後での画質信号を電気的にキャプチャして比較することで比較的容易かつ正確に評価を行うことができる。しかしながら、表示パネルまでを含めた総合的な評価を行う場合には、表示された画像に対する評価が必要となる。
【０００６】
このため、最近では、高速度カメラにより表示パネルに表示された画像を撮影することにより、表示パネルを評価する方法も提案されている。しかるに、最近は、液晶テレビが高性能化（例えば、フルＨＤ化、１２ビット階調処理など）しているため、たとえ高速度カメラであっても、肉眼で確認できる程度のわずかな階調の変化を撮影することができなくなってきている。
【０００７】
したがって、表示パネルの評価は、最終的には人間が直接観察して、視覚に対する影響を客観的に評価するのが好ましいが、現在のところ、視覚に対する影響を客観的に評価する方法は確立されていない。
【０００８】
そこで、本発明は上記の課題に鑑みてなされたものであり、表示装置の画質評価を支援することが可能な画質評価支援装置及び画質評価支援方法を提供することを目的とする。
【課題を解決するための手段】
【０００９】
上記課題を解決するために、本明細書記載の画質評価支援装置は、表示装置に表示画像を表示させるとともに、前記表示画像のうち、画素に関するパラメータが特定範囲にある画素の輝度値を調整して前記表示画像の一部にマーカを出現させたマーカ画像を、前記表示画像に代えて前記表示装置に表示させる表示手段と、前記特定範囲を変更する特定範囲変更手段と、前記表示手段が前記表示装置に前記表示画像を表示させるのと、前記マーカ画像を表示させるのとを交互に切り替える切替手段と、を備える。
【００１０】
これによれば、表示手段と切替手段とにより、表示画像と、画素に関するパラメータが特定範囲にある画素の輝度値を調整して表示画像にマーカを出現させた画像（マーカ画像）とが、表示装置に交互に表示され、特定範囲変更手段により、パラメータの特定範囲が変更される。したがって、表示画像の階調変化に段差などが生じていることが観察者の肉眼により観察できる場合に、表示画像を表示し、次いでマーカ画像を表示し、再度表示画像を表示し、更に特定範囲を変更したマーカ画像を表示し、再度表示画像を表示し…という処理を繰り返し行うことができる。これにより、観察者による画質評価作業（階調変化の段差箇所とマーカ画像のマーカが一致する部分を観察者が特定する作業や、段差の原因となっているパラメータの範囲を観察者が特定する作業など）を好適に支援することができる。これにより、観察者は、表示装置の画質評価を容易に行うことが可能となる。この場合、マーカ画像を常時表示させずに、適宜表示画像と切り替えて表示させるので、マーカ表示による表示画像改変の影響を抑制して、正確な評価を行うことが可能となる。
【００１１】
また、本明細書記載の画質評価支援装置は、第１の表示装置に表示画像を表示させる第１の表示手段と、前記第１の表示装置と同一種類の第２の表示装置に、前記表示画像のうち、画素に関するパラメータが特定範囲にある画素の輝度値を調整して前記表示画像の一部にマーカを出現させたマーカ画像を、表示させる第２の表示手段と、前記特定範囲を変更する特定範囲変更手段と、前記第１の表示手段に表示された表示画像と、前記第２の表示手段に表示されたマーカ画像とを合成して表示する画像合成手段と、を備える。
【００１２】
これによれば、画像合成手段が、第１の表示手段に表示された表示画像と、第２の表示手段に表示されたマーカ画像（画素に関するパラメータが特定範囲にある画素の輝度値を調整して一部にマーカを出現させた画像）とを合成して表示し、特定範囲変更手段が、パラメータの特定範囲を変更する。したがって、表示画像の階調変化の段差が観察者の肉眼により観察できる場合に、上記表示を行うことで、観察者による画質評価作業（階調変化の段差箇所とマーカ画像のマーカが一致する部分を観察者が特定する作業や、段差の原因となっているパラメータの範囲を観察者が特定する作業など）を好適に支援することができる。これにより、観察者は、同一種類の表示装置の画質評価を容易に行うことが可能となる。この場合、マーカ画像と表示画像を合成して表示させるので、マーカ表示による表示画像改変の影響を抑制して、正確な評価を行うことが可能となる。
【００１３】
本明細書記載の画質評価支援方法は、表示装置に表示画像を表示する表示画像表示ステップと、前記表示画像のうち、画素に関するパラメータが特定範囲にある画素の輝度値を調整して前記表示画像の一部にマーカを出現させたマーカ画像を、前記表示画像に代えて前記表示装置に表示するマーカ画像表示ステップと、を含み、前記表示画像表示ステップと、前記マーカ画像表示ステップとは、前記特定範囲が変更されつつ、交互に実行される。
【００１４】
これによれば、表示画像と、画素に関するパラメータが特定範囲にある画素の輝度値を調整して表示画像にマーカを出現させた画像（マーカ画像）とを、特定範囲を変更しつつ、表示装置に交互に表示するので、表示画像の階調変化に段差などが生じていることが観察者の肉眼により観察できる場合に、表示画像を表示し、次いでマーカ画像を表示し、再度表示画像を表示し、更に特定範囲を変更したマーカ画像を表示し、再度表示画像を表示し…という表示を繰り返し行うことができる。観察者による画質評価作業（階調変化の段差箇所とマーカ画像のマーカが一致する部分を観察者が特定する作業や、段差の原因となっているパラメータの範囲を観察者が特定する作業など）を好適に支援することができる。また、観察者は、表示装置の画質評価を容易に行うことが可能となる。この場合、マーカ画像を常時表示させずに、適宜表示画像と切り替えて表示させるので、マーカ表示による表示画像改変の影響を抑制して、正確な評価を行うことが可能となる。
【００１５】
また、本明細書記載の画質評価支援方法は、第１の表示装置に表示画像を表示するとともに、前記第１の表示装置と同一種類の第２の表示装置に、前記表示画像のうち、画素に関するパラメータが特定範囲にある画素の輝度値を調整して前記表示画像の一部にマーカを出現させたマーカ画像を表示し、前記第１の表示手段に表示された表示画像と、前記第２の表示手段に表示されたマーカ画像とを合成して表示する画像表示・合成ステップと、前記画像表示・合成ステップを行っている間に、前記特定範囲を変更する特定範囲変更ステップと、を含む。
【００１６】
これによれば、表示画像と、マーカ画像（表示画像の画素に関するパラメータが特定範囲にある画素の輝度値を調整して一部にマーカを出現させた画像）とを、特定範囲を変更しつつ合成して表示する。したがって、表示画像の階調変化の段差が観察者の肉眼により観察できる場合に、上記表示を行うことで、観察者による画質評価作業（階調変化の段差箇所とマーカ画像のマーカが一致する部分を観察者が特定する作業や、段差の原因となっているパラメータの範囲を観察者が特定する作業など）を好適に支援することができる。また、観察者は、同一種類の表示装置の画質評価を容易に行うことが可能となる。この場合、マーカ画像と表示画像を合成して表示させるので、マーカ表示による表示画像改変の影響を抑制して、正確な評価を行うことが可能となる。
【発明の効果】
【００１７】
本明細書に記載の画質評価装置及び画質評価方法は、表示装置の画質評価を支援することができるという効果を奏する。
【発明を実施するための最良の形態】
【００１８】
《第１の実施形態》
以下、本発明の画像評価支援装置の第１の実施形態について図１〜図７に基づいて詳細に説明する。
【００１９】
本第１の実施形態の画像評価支援装置１００は、液晶テレビ５０に評価用の画像を適切に表示することにより、人（以下、「観察者」と呼ぶ）による液晶テレビ５０の画質評価作業を支援するための装置である。
【００２０】
この画像評価支援装置１００は、図１に示すように、キャプチャ部１２と、マーカ生成部１４と、出力部２０と、制御値入力インタフェース（Ｉ／Ｆ）１６と、ＯＮ／ＯＦＦ切替部１８と、を備えている。
【００２１】
キャプチャ部１２には、画像評価支援装置１００の外部に設けられた表示画像（以下、「原画像」と呼ぶ）を格納する原画像データベース１０が接続されている。キャプチャ部１２は、この原画像データベース１０から特定の動画（ここでは、前述した図１０（ａ）のようなグラデーションを有する円形画像が暗くなったり明るくなったりする動画）を取り出して、フレームごとにキャプチャする。また、キャプチャ部１２は、キャプチャした画像（キャプチャ画像）を、マーカ生成部１４に対して出力する。
【００２２】
マーカ生成部１４は、キャプチャ部１２から入力されたキャプチャ画像に対してマーカを生成しない場合と、マーカを生成する場合とで、異なる処理を行う。
【００２３】
具体的には、キャプチャ画像に対してマーカを生成しない場合、図２（ａ）に示すように、入力されたキャプチャ画像の各画素の輝度を、同一の輝度のまま出力する。この場合、マーカ生成部１４では、図３（ａ）及び図３（ａ）のＡ−Ａ線部分における輝度を示すグラフ（図３（ｂ））に示すような入力されたキャプチャ画像（図１０（ａ））と同一の画像を、出力部２０に出力する。
【００２４】
一方、キャプチャ画像に対してマーカを生成する場合、図２（ｂ）に示すように、各画素の輝度のうち、特定範囲（図２（ｂ）では輝度Ｙbt〜Ｙtpの範囲）に関する出力（出力輝度）を、最大（Ｙｍ）まで大きくする。このようにすることで、マーカ生成部１４は、図３（ｂ）に示す出力輝度分布を、図４（ｂ）に示す出力輝度分布に変更することができる。このようにすることで、マーカ生成部１４は、図４（ａ）に示すようなキャプチャ画像（図１０（ａ））に円形のマーカＭＫを出現させた画像（以下、「マーカ画像」と呼ぶ）を生成することができる。そして、マーカ生成部１４では、当該マーカ画像を出力部２０に対して出力する。
【００２５】
制御値入力Ｉ／Ｆ１６は、観察者が操作可能な調整つまみを有している。この調整つまみを観察者が操作する（例えば、調整つまみを回転させる）ことにより、特定範囲（Ｙbt〜Ｙtp）を調整することができる。すなわち、例えば、図４（ａ）、図４（ｂ）の状態から観察者が調整つまみを操作することにより、図５（ｂ）に示すように特定範囲をＹ’bt〜Ｙ’tpに変更することができる。これにより、図５（ａ）に示すように、マーカＭＫを図４（ａ）とは異なる位置（又は異なる幅）に表示することが可能である。なお、調節つまみは、これに限るものではなく、観察者によって特定範囲を指定できる入力部であれば、どのようなものであっても構わない。なお、このマーカ画像の生成方法については後で更に詳述する。
【００２６】
図１に戻り、ＯＮ／ＯＦＦ切替部１８は、マーカ生成部１４においてマーカ生成を実行するか否かを切り替える切替信号（ＯＮ信号又はＯＦＦ信号）をマーカ生成部１４に対して出力するものである。
【００２７】
出力部２０は、マーカ生成部１４から出力された画像を液晶テレビ５０に向けて出力する。
【００２８】
上述したような画質評価支援装置１００に接続される評価対象の液晶テレビ５０は、図１に示すように、画質評価支援装置１００の出力部２０に接続される処理回路３２と、処理回路３２に接続された表示部３４と、を備える。
【００２９】
処理回路３２は、出力部２０から入力された画像をデジタル信号処理する。表示部３４は、液晶パネルから成り、処理回路３２でデジタル処理されたデジタル信号に基づいて画像を表示する。なお、処理回路３２ではデジタル処理を行うことから、当該デジタル処理の際の内部演算による桁落ちや数値丸めによる演算誤差によって、液晶パネルの表示（画質）に影響が出ている。具体的には、図１０（ａ）に示すようなグラデーションパターンの画像（動画）を画質評価支援装置１００（出力部２０）から出力した場合でも、当該画像に、図１０（ｂ）に示すような段差や縞模様（トーンジャンプ）が発生する可能性がある。このトーンジャンプは、肉眼では確認できるものの、高速度カメラ等では撮影できないため、観察者が実際に肉眼で見ながら、客観的に評価することが好ましい。そこで、本実施形態では、以下で説明する図６、図７のフローチャートに基づいて、液晶テレビ５０の画質の客観的な評価を行うこととしている。
【００３０】
図６は、キャプチャ部１２、マーカ生成部１４及び出力部２０の処理シーケンスを示すフローチャートであり、図７は、ＯＮ／ＯＦＦ切替部１８の処理シーケンス（ＯＮ信号とＯＦＦ信号の切替シーケンス）を示すフローチャートである。これら図６の処理と図７の処理は並行処理されるものである。また、図６、図７の処理は、あくまでも観察者による画質評価を支援する処理であるため、画質評価は、図６、図７の処理が実行されている間に液晶テレビ５０上に表示された画面を観察者が直接見ることにより行われる。
【００３１】
本実施形態では、図６のフローチャートの前提として、図７のステップＳ３０に示すように、ＯＮ／ＯＦＦ切替部１８からＯＦＦ信号が出力されている（ＯＦＦ信号が出力された後は、図７のフローチャートのステップＳ３２を繰り返す）。また、原画像データベース１０からキャプチャ部１２が取り込む動画（図１０（ａ）の円形画像が暗くなったり明るくなったりする動画）のフレームは第１番目から第Ｎ番目まであるものとする。
【００３２】
観察者から、画質評価支援装置１００に対して評価開始の指示が出されると、図６のフローチャートが開始する。この図６のフローチャートにおいて、ステップＳ１０では、キャプチャ部１２が、キャプチャするフレームの番号（何番目のフレームであるかを示す変数）ｎを１に設定する。
【００３３】
次いで、ステップＳ１２では、キャプチャ部１２が、第ｎ番目（ここでは、第１番目）のフレームをキャプチャする。次いで、ステップＳ１４では、マーカ生成部１４が、制御値入力Ｉ／Ｆ１６を介して観察者から入力された制御値Ｃｍを読み込む。なお、この制御値Ｃｍの詳細については後述する。
【００３４】
次いで、ステップＳ１６では、マーカ生成部１４が、マーカ生成指示があるか否か、すなわち、ＯＮ／ＯＦＦ切替部１８からＯＮ信号が出力されているか否かを判断する。ここでは、ＯＮ／ＯＦＦ切替部１８からはＯＦＦ信号が出力されているので、判断は否定され、ステップＳ２０に移行する。
【００３５】
次のステップＳ２０では、ステップＳ１２においてキャプチャ部１２でキャプチャされた１フレームの画像を、マーカ生成部１４で処理せずに、出力部２０に送信する。この場合、前述のように、図３（ａ）に示すようなマーカが表示されていない原画像が出力部２０に送信される。そして、この原画像を受信した出力部２０は、当該原画像を液晶テレビ５０の処理回路３２に対して出力する。処理回路３２に入力された原画像は、デジタル処理された後、表示部３４にて表示される。
【００３６】
次いで、ステップＳ２２では、出力部２０が、第Ｎフレームまでの出力を行ったか否かを判断する。ここでの判断が否定されると、ステップＳ２４にてｎを１インクリメントした後、ステップＳ１２に戻る。
【００３７】
その後は、ステップＳ２２の判断が肯定されるまで（ｎがＮになるまで）、ステップＳ１２→ステップＳ１４→ステップＳ１６→ステップＳ２０→ステップＳ２２→ステップＳ２４を繰り返す。この繰り返し処理により、液晶テレビ５０の表示部３４上には、Ｎフレームから成る動画（原画像そのままの動画）が表示されることになる。なお、ここでは、Ｎフレームから成る動画を液晶テレビ５０上で表示した場合に、図１０（ｂ）のようなトーンジャンプが肉眼で確認されたものとする。
【００３８】
そして、ステップＳ２２の判断が肯定された段階（Ｎフレームから成る動画の表示部３４上での表示が完了した段階）で、ステップＳ２６に移行する。このステップＳ２６では、出力部２０が、ＯＮ／ＯＦＦ切替部１８に対してＯＮ／ＯＦＦ切替指示を出力する。
【００３９】
上記ステップＳ２６において出力部２０からＯＮ／ＯＦＦ切替指示が出力されると、ＯＮ／ＯＦＦ切替部１８では、これまで所定時間間隔で繰り返し実行されていた図７のフローチャートのステップＳ３２における判断が肯定され、ステップＳ３４に移行する。
【００４０】
そして、ＯＮ／ＯＦＦ切替部１８は、出力する信号をこれまで出力していたＯＦＦ信号からＯＮ信号に切り替える。
【００４１】
図６に戻り、ステップＳ２６の後ステップＳ１０に移行すると、キャプチャ部１２においてｎが初期値１に設定され、次のステップＳ１２では、キャプチャ部１２が第ｎ番目（ここでは、第１番目）のフレームをキャプチャする。次いで、ステップＳ１４では、マーカ生成部１４が、制御値入力Ｉ／Ｆ１６を介して観察者から入力された制御値Ｃｍを読み込む。なお、制御値Ｃｍは、輝度値の特定範囲を、ある最小値からある最大値までの範囲（例えば、Ｙbt〜Ｙtp）に規定するものである。
【００４２】
次いで、ステップＳ１６では、マーカ生成部１４が、マーカ生成指示があるか否か、すなわち、ＯＮ／ＯＦＦ切替部１８からＯＮ信号が出力されているか否かを判断する。ここでは、ＯＮ／ＯＦＦ切替部１８からはＯＮ信号が出力されているので、判断は肯定され、ステップＳ１８に移行する。
【００４３】
ステップＳ１８では、マーカ生成部１４が以下のようにしてマーカ生成を行う。なお、以下では、フレーム内の座標位置を（ｘ，ｙ）、キャプチャ画像の１フレーム内における画素をＰ（ｘ，ｙ）、画素Ｐ（ｘ，ｙ）の輝度（入力輝度）をＰｃ（ｘ，ｙ）と表すものとする。
【００４４】
マーカ生成部１４は、まず、ステップＳ１４で読み込んだ制御値Ｃｍ（入力輝度の特定範囲（Ｙbt〜Ｙtp））に基づいて、入力輝度Ｐｃ（ｘ，ｙ）が次式（１）を満たすような画素Ｐ（ｘ，ｙ）を選択する。
Ｙbt＜Ｐｃ（ｘ，ｙ）＜Ｙtp      …（１）
【００４５】
そして、マーカ生成部１４は、上式（１）を満たす画素Ｐ（ｘ，ｙ）の出力輝度（出力輝度をＰｃ’（ｘ，ｙ）と表す）が、最大輝度（Ｙｍ）となるように処理する（図２（ｂ）参照）。これにより、図３（ｂ）のような輝度分布が、図４（ｂ）のような輝度分布に変更されるので、マーカ生成部１４では、図４（ａ）に示すような、キャプチャ画像の一部にマーカＭＫを出現させた画像（マーカ画像）を生成することができる。
【００４６】
図６に戻り、次のステップＳ２０では、マーカ生成部１４が、ステップＳ１８において生成された１フレームのマーカ画像を出力部２０に送信し、出力部２０が当該マーカ画像を液晶テレビ５０の処理回路３２に対して出力する。処理回路３２では、マーカ画像をデジタル処理してデジタル信号を表示部３４に出力し、表示部３４では、デジタル信号に基づいてマーカ画像を表示する。
【００４７】
次いで、ステップＳ２２では、出力部２０が、第Ｎフレームまでの出力を行ったか否かを判断する。ここでの判断が否定されると、ステップＳ２４にてｎを１インクリメントした後、ステップＳ１２に戻る。
【００４８】
その後は、ステップＳ２２の判断が肯定されるまで（ｎがＮになるまで）、ステップＳ１２→ステップＳ１４→ステップＳ１６→ステップＳ１８→ステップＳ２０→ステップＳ２２→ステップＳ２４を繰り返す。この繰り返し処理により、液晶テレビ５０の表示部３４上には、Ｎフレームから成る動画（特定範囲（Ｙbt〜Ｙtp）の入力輝度を有する画素部分にマーカＭＫが出現した状態の動画）が表示されることになる。
【００４９】
そして、ステップＳ２２の判断が肯定されると、ステップＳ２６において、出力部２０がＯＮ／ＯＦＦ切替指示を、ＯＮ／ＯＦＦ切替部１８に対して出力する。このように、ＯＮ／ＯＦＦ切替指示が出力されると、ＯＮ／ＯＦＦ切替部１８では、図７のフローチャート（当該フローチャートでは、ステップＳ３２が繰り返し実行されている）のステップＳ３２における判断が肯定され、ステップＳ３４に移行する。
【００５０】
次いで、ステップＳ３４では、ＯＮ／ＯＦＦ切替部１８は、マーカ生成部１４に対して、これまで出力していたＯＮ信号からＯＦＦ信号に切り替えて出力する。その後は、観察者からの終了指示が制御値入力Ｉ／Ｆ１６から入力されるまで、原画像とマーカ画像が液晶テレビ５０上に繰り返し表示される。また、マーカ画像が表示される前までに、観察者が制御値入力Ｉ／Ｆ１６を介して特定範囲を変更すると、その変更された特定範囲に基づくマーカ画像が液晶テレビ５０上に表示される。
【００５１】
観察者は、原画像（動画）とマーカ画像（動画）が交互に表示されている間に、原画像において肉眼で確認できるグラデーションのトーンジャンプ部分（縞模様の部分）と、マーカ画像のマーカＭＫ部分との位置関係を確認する。そして、観察者は、制御値入力Ｉ／Ｆ１６の調整つまみを適宜操作して、制御値Ｃｍ（特定範囲の最大値と最小値）を変更することにより、マーカ画像のマーカＭＫの位置や幅などを変更する（図４（ａ）、図５（ａ）参照）。このような操作を繰り返すことにより、観察者は、原画像のトーンジャンプ部分とマーカ画像のマーカ部分を一致させることができる。これにより、観察者は、制御値Ｃｍ（特定範囲）を、トーンジャンプの発生要因である輝度の範囲と特定することが可能である。なお、特定範囲の調整方法としては、例えば、小さい値から大きい値に徐々に大きくする方法を採用しても良いし、大きい値から小さい値に徐々に小さくする方法を採用しても良い。また、ある第１の特定範囲と第２の特定範囲を規定し、それらの特定範囲が徐々に近づくように範囲を調整することにより、トーンジャンプ部分とマーカ部分とが一致する特定範囲を絞り込む方法を採用しても良い。
【００５２】
なお、これまでの説明から明らかなように、本第１の実施形態では、マーカ生成部１４と出力部２０とにより表示手段が構成され、ＯＮ／ＯＦＦ切替部１８とマーカ生成部１４とにより切替手段が構成され、制御値入力Ｉ／Ｆ１６により特定範囲変更手段が構成されている。
【００５３】
なお、図６，７のフローチャートは上記処理順に限られるものではない。例えば、ステップＳ１０、Ｓ２２、Ｓ２４を無くし、ステップＳ２０の後に再生終了指示を受けたかを確認し、当該再生終了指示を受けていない場合には、ステップＳ２６を経てステップＳ１２に戻るような処理順序に変更しても構わない。このように処理順序を変更した場合、図６および図７で説明した動画１周ごとにＯＮ／ＯＦＦするのではなく、１本の動画を切れ目無く何度も繰り返して再生しつつ、１本の動画の途中だけマーカＯＮ（またはＯＦＦ）にするようにできる。
【００５４】
また、第１〜第Ｎフレーム中の特定のフレーム（ｎａ〜ｎｂフレーム）のみにマーカを表示するための処理を行うこととしても良い。この場合、例えば、ステップＳ２２，Ｓ２６及び図７を無くし、ステップＳ２０の後にステップＳ２４へ移行することとし、更に、ステップＳ２４とステップＳ１２との間に、観察者から予め制御値指示として入力されたｎａ、ｎｂとｎとを比較する処理、及びｎがｎａ〜ｎｂの範囲内にあるときにマーカをＯＮにする処理を追加しても良い。このようにすれば、次に表示すべきフレームがｎａ〜ｎｂの範囲内にあるときにのみマーカを自動でＯＮにすることができる。
【００５５】
以上、詳細に説明したように、本第１の実施形態の画質評価支援装置１００によると、マーカ生成部１４、出力部２０及びＯＮ／ＯＦＦ切替部１８が、液晶テレビ５０に原画像と、マーカ画像（原画像の画素Ｐ（ｘ，ｙ）の輝度Ｐｃ（ｘ，ｙ）が特定範囲にある画素の輝度値を調整（最大値（Ｙｍ）に設定）して原画像の一部にマーカを出現させた画像）と、を切り替えて表示し、制御値入力Ｉ／Ｆ１６が特定範囲を変更する。したがって、本第１の実施形態の画質評価支援装置１００では、原画像を液晶テレビ５０に表示し、その後マーカ画像を表示し、再度原画像を表示し、更に特定範囲を変更したマーカ画像を表示し、再度原画像を表示し…という処理を繰り返し行うことができる。これにより、観察者による画質評価作業（階調変化の段差箇所とマーカ画像のマーカが一致する部分を観察者が特定する作業や、段差の原因となっているパラメータの範囲を観察者が特定する作業など）を好適に支援することができる。また、観察者側からすれば、液晶テレビ５０の画質評価を簡易に実行することができる。この場合、画質評価支援装置１００は、マーカ画像を常時表示させずに、適宜原画像と切り替えて表示させるので、マーカ表示による原画像改変の影響を抑制して、正確な評価を行うことが可能である。
【００５６】
また、本第１の実施形態では、原画像が動画である場合にのみ確認される表示特性（段差や縞模様（トーンジャンプ）など）についても評価することができるので、液晶テレビ５０の画質評価を精度良く行うことが可能である。
【００５７】
また、本第１の実施形態では、制御値入力Ｉ／Ｆ１６を介して観察者から入力される指示に基づいて、輝度の特定範囲が変更されるので、観察者の意図どおりにマーカＭＫを設定することができる。これにより、観察者は、原画像のトーンジャンプ部分等にマーカを追い込む処理を適切に行うことが可能である。
【００５８】
なお、上記第１の実施形態では、入力輝度が特定範囲に含まれる画素の出力輝度を最大値（Ｙｍ）とする処理を行う場合について説明したが、これに限られるものではない。例えば、特定範囲に含まれる画素の出力輝度を最小値（０）とする処理を行うこととしても良い。このようにすることで、特定範囲に含まれる画素は暗く表示されることになるが、上記第１の実施形態と同様のマーカ画像（マーカが黒色の画像）を生成することが可能である。
【００５９】
なお、上記第１の実施形態では、画素Ｐ（ｘ，ｙ）のパラメータとして、輝度Ｐｃ（ｘ，ｙ）を用いる場合について説明したが、これに限られるものではない。例えば、画素Ｐ（ｘ，ｙ）のパラメータとして、彩度ｕを用いることとしても良い。この場合、彩度ｕが特定範囲にある画素の輝度値を調整（例えば最大値Ｙｍに調整）することとしても良い。より具体的には、画素Ｐ（ｘ，ｙ）の彩度ｕ（Ｐｕ（ｘ，ｙ））の特定範囲がＵbt〜Ｕtpに設定された場合には、マーカ生成部１４は、次式（２）を満たすような画素Ｐ（ｘ，ｙ）を選択することとする。
Ｕbt＜Ｐｕ（ｘ，ｙ）＜Ｕtp      …（２）
【００６０】
そして、マーカ生成部１４は、上式（２）を満たす画素Ｐ（ｘ，ｙ）の出力輝度（Ｐｃ’（ｘ，ｙ））を調整（例えば、出力輝度を最大輝度Ｙｍとする調整）することができる。
【００６１】
更に、上記第１の実施形態では、画素Ｐ（ｘ，ｙ）のパラメータとして、彩度ｖを用いることとしても良い。具体的には、画素Ｐ（ｘ，ｙ）の彩度ｖ（Ｐｖ（ｘ，ｙ））の特定範囲がＶbt〜Ｖtpに設定された場合には、マーカ生成部１４は、次式（３）を満たすような画素Ｐ（ｘ，ｙ）を選択し、当該画素Ｐ（ｘ，ｙ）の出力輝度（Ｐｃ’（ｘ，ｙ））を調整（例えば、出力輝度を最大輝度Ｙｍとする調整）することができる。
Ｖbt＜Ｐｖ（ｘ，ｙ）＜Ｖtp      …（３）
【００６２】
また、上記第１の実施形態では、画素Ｐ（ｘ，ｙ）のパラメータとして、ＲＧＢ値のうちのＲ値を用いることとしても良い。具体的には、画素Ｐ（ｘ，ｙ）のＲ値（Ｐｒ（ｘ，ｙ））の特定範囲がＲbt〜Ｒtpに設定された場合には、マーカ生成部１４は、次式（４）を満たすような画素Ｐ（ｘ，ｙ）を選択し、当該画素Ｐ（ｘ，ｙ）の出力輝度（Ｐｃ’（ｘ，ｙ））を調整（例えば、出力輝度を最大輝度Ｙｍとする調整）することができる。
Ｒbt＜Ｐｒ（ｘ，ｙ）＜Ｒtp      …（４）
【００６３】
また、同様に、画素Ｐ（ｘ，ｙ）のパラメータとしては、ＲＧＢ値のうちのＧ値やＢ値を用いることとしても良い。具体的には、画素Ｐ（ｘ，ｙ）の画素Ｇ値（Ｐｇ（ｘ，ｙ））（又は画素Ｂ値（Ｐｂ（ｘ，ｙ）））の特定範囲がＧbt〜Ｇtp（又はＢbt〜Ｂtp）に設定された場合には、マーカ生成部１４は、次式（５）（又は（６））を満たすような画素Ｐ（ｘ，ｙ）を選択し、当該画素Ｐ（ｘ，ｙ）の出力輝度（Ｐｃ’（ｘ，ｙ））を調整（例えば、出力輝度を最大輝度Ｙｍとする調整）することができる。
Ｇbt＜Ｐｇ（ｘ，ｙ）＜Ｇtp      …（５）
Ｂbt＜Ｐｂ（ｘ，ｙ）＜Ｂtp      …（６）
【００６４】
なお、上記第１の実施形態では、輝度値を調整する画素として、１つのパラメータが特定範囲に含まれる画素を特定する場合について説明したが、これに限られるものではない。例えば、複数のパラメータを用い、すべてのパラメータがそれぞれに設定された特定範囲に含まれるような画素を特定することとしても良い。具体的には、パラメータとして彩度ｕと彩度ｖを採用する場合には、上式（２）と上式（３）のいずれも満足する画素Ｐ（ｘ、ｙ）を特定することとする。このようにすることで、より高精度な画質評価を行うことが可能となる。
【００６５】
なお、上記実施形態では、制御値Ｃｍとして、観察者が、特定範囲の最大値と最小値を入力する場合について説明したが、これに限られるものではない。例えば、観察者が、特定範囲の最大値と最小値に代えて、特定範囲の中央値と特定範囲の幅とを入力する方法を採用することとしても良い。この場合、例えば、パラメータとして輝度Ｐｙ（ｘ，ｙ）を用い、観察者から入力される特定範囲の中央値をｈ、特定範囲の幅をｓとすると、マーカ生成部１４は、次式（７）を満たすような画素Ｐ（ｘ，ｙ）を選択する。また、マーカ生成部１４は、選択された画素Ｐ（ｘ，ｙ）の出力輝度（Ｐｃ’（ｘ，ｙ））が、最大輝度Ｙｍとなるような処理などをすることができる。
ｈ−（ｓ／２）＜Ｐｙ（ｘ，ｙ）＜ｈ＋（ｓ／２）      …（７）
【００６６】
なお、上記パラメータのいずれを用いるか、何個のパラメータを用いるかについては、画質評価支援装置１００において予め設定されていても良いし、観察者が制御値入力Ｉ／Ｆ１６から選択できるようにしても良い。
【００６７】
《第２の実施形態》
次に、本発明の第２の実施形態について、図８に基づいて説明する。
【００６８】
図８には、第２の実施形態に係る画質評価支援装置１００’と、この画質評価支援装置１００’に接続される液晶テレビ５０Ａ，５０Ｂの構成がブロック図にて示されている。
【００６９】
画質評価支援装置１００’は、第１の実施形態の画質評価支援装置１００と比較して、２つの出力部２０Ａ，２０Ｂを有している一方、ＯＮ／ＯＦＦ切替部１８を有していない点に特徴を有している。
【００７０】
一方の出力部２０Ａは、キャプチャ部１２の後段に配置されている。この出力部２０Ａでは、キャプチャ部１２においてキャプチャされた画像をそのまま受信し、当該キャプチャ画像を信号処理して液晶テレビ５０Ａの処理回路３２Ａに対して出力する。また、他方の出力部２０Ｂは、マーカ生成部１４の後段に配置されている。この出力部２０Ｂでは、キャプチャ部１２においてキャプチャされたキャプチャ画像を基にマーカ生成部１４にて生成されたマーカ画像を受信し、当該マーカ画像を信号処理して液晶テレビ５０Ｂの処理回路３２Ｂに対して出力する。なお、本実施形態では、出力部２０Ｂがマーカ画像の信号を出力するタイミングと、当該マーカ画像に対応する原画像を出力部２０Ａが出力するタイミングとを一致させるために、出力部２０Ａに対して、一旦キャプチャした画像を入力することとしている。
【００７１】
液晶テレビ５０Ａ、５０Ｂとしては、互いに機能的に等価なテレビ（量産時の同一ロット品など）が用いられる。液晶テレビ５０Ａは、処理回路３２Ａ及び表示部３４Ａを備え、液晶テレビ５０Ｂは、処理回路３２Ｂ及び出力部３４Ｂを備えている。液晶テレビ５０Ａでは、出力部２０Ａから入力される原画像の画像信号を処理回路３２Ａにて処理して表示部３４Ａに原画像を表示する。また、液晶テレビ５０Ｂでは、出力部２０Ｂから入力されるマーカ画像の画像信号を処理回路３２Ｂにて処理して表示部３４Ｂにマーカ画像を表示する。
【００７２】
更に、本第２の実施形態では、図８に示すように、液晶テレビ５０Ａ（表示部３４Ａ）の後段に、ハーフミラーＨＭが設けられ、液晶テレビ５０Ｂ（表示部３４Ｂ）の後段に、反射ミラーＭが設けられている。液晶テレビ５０Ｂ（表示部３４Ｂ）に表示されたマーカ画像は、反射ミラーＭで反射された後、ハーフミラーＨＭにて、液晶テレビ５０Ａ（表示部３４Ａ）に表示された原画像と合成される。
【００７３】
観察者は、ハーフミラーＨＭにて合成された画像（合成画像）を見ながら、画質評価を行う。具体的には、図９に示すように、キャプチャ部１２による１フレームのキャプチャ（ステップＳ１１２）、マーカ生成部１４による制御値入力Ｉ／Ｆ１６から入力された制御値Ｃｍの読み込み（ステップＳ１１４）、マーカ生成部１４による制御値Ｃｍに基づくマーカ調整（ステップＳ１１６）、出力部２０Ａ，２０Ｂによる、１フレーム出力及び合成画像表示（ステップＳ１１８）、という一連の処理を行っている間に、観察者は、マーカ部分とトーンジャンプ部分を肉眼で観察しながら、両者が一致するように、制御値入力Ｉ／Ｆ１６の調整つまみを操作する。そして、観察者は、マーカとトーンジャンプや段差の部分が一致したと判断した時点で、調整つまみの操作を止める。このようにすることで、観察者は、操作を止めた時点におけるパラメータの特定範囲を、トーンジャンプや段差の原因と特定することができる。
【００７４】
なお、これまでの説明からわかるように、本第２の実施形態では、反射ミラーＭとハーフミラーＨＭとにより、画像合成手段が構成されている。ただし、画像合成手段は、これに限られるものではなく、その他の構成（図８とは異なるミラー配置又は別の装置など）を採用することも可能である。
【００７５】
以上詳細に説明したように、本第２の実施形態によると、反射ミラーＭとハーフミラーＨＭとが、表示部３４Ａに表示された原画像と、表示部３４Ｂに表示されたマーカ画像とを合成して表示し（ステップＳ１１８）、制御値入力Ｉ／Ｆ１６が、画素のパラメータの特定範囲を変更する（ステップＳ１１４）する。したがって、原画像の階調変化に段差などが生じていることが観察者の肉眼により観察できる場合に、上記処理を行うことで、観察者による画質評価（階調変化の段差箇所とマーカ画像のマーカが一致する部分を観察者が特定する作業や、段差の原因となっているパラメータの範囲を観察者が特定する作業など）を支援することができる。これにより、観察者は、同一種類の液晶テレビ５０Ａ，５０Ｂの画質評価を容易に行うことが可能である。この場合、マーカ画像と原画像を合成して表示させるので、マーカ表示による原画像改変の影響を抑制して、正確な評価を行うことが可能である。また、本第２の実施形態では、原画像とマーカ画像の繰り返し表示を行わなくても良いので、画質評価に要する時間の短縮が期待できる。
【００７６】
また、本第２の実施形態においても、上述した第１の実施形態と同様、原画像が動画である場合にのみ確認される表示特性（段差や縞模様（トーンジャンプ）など）についても評価することができるので、液晶テレビ５０Ａ，５０Ｂの画質評価を精度良く行うことが可能である。
【００７７】
また、本第２の実施形態においても、上述した第１の実施形態と同様、制御値入力Ｉ／Ｆ１６を介して観察者から入力される指示に基づいて、輝度の特定範囲が変更されるので、観察者の意図どおりにマーカを移動させることができる。これにより、観察者は、原画像のトーンジャンプ部分等にマーカを追い込む処理を適切に行うことが可能である。
【００７８】
なお、上記第２の実施形態では、液晶テレビ５０Ａ，５０Ｂに常時画像を表示する場合について説明したが、これに限られるものではない。例えば、第１の実施形態と同様に、ＯＮ／ＯＦＦ切替部を設け、所定のタイミングでマーカ画像側の表示／非表示を切り替えることとしても良い。また、マーカ画像側の表示／非表示を切り替える方法としては、例えば、反射ミラーＭの角度を適宜変更する方法や、反射ミラーＭの反射面を適宜シャッターで遮蔽するなどの方法を採用することとしても良い。更に、観察者が、制御値入力Ｉ／Ｆ１６などを介してマーカ画像の表示／非表示を切り替えられるように、制御値入力Ｉ／Ｆ１６に切替用のスイッチを設けることとしても良い。
【００７９】
また、上記第２の実施形態では、原画像とマーカ画像を合成する前段階において、マーカ画像にフィルタをかけて表示することとしても良い。このようにすることで、原画像のトーンジャンプ部分の視認性をより良好にすることが可能である。
【００８０】
なお、上記各実施形態では、原画像データベース１０が、画質評価支援装置１００，１００’の外部に設けられた場合について説明したが、これに限らず、原画像データベース１０は、画質評価支援装置の内部に設けられても良い。
【００８１】
また、上記各実施形態では、パラメータの特定範囲を変更する作業を、観察者が制御値入力Ｉ／Ｆ１６を介して行う場合について説明したが、これに限られるものではない。例えば、特定範囲の変更を、マーカ生成部１４が自動で行うような構成を採用しても良い。この場合、例えば、マーカ生成部１４がマーカ画像を表示する毎に特定範囲を所定間隔で変更し、観察者は、トーンジャンプ部分とマーカ部分が略一致したときに、所定のボタンを押して凡その範囲を規定することができる。また、その後更に一致する部分を詳細に追い込む場合には、マーカ生成部１４は、上記規定された範囲内においてより細かく特定範囲を変更するようにすれば良い。
【００８２】
なお、上記各実施形態では、原画像として、図３のような画像を用いる場合について説明したが、これに限られるものではなく、一般的なテレビ画像（好ましくはグラデーションの多い画像）を用いることとしても良い。
【００８３】
また、上記各実施形態では、原画像として動画を用いた場合について説明したが、これに限らず、原画像として静止画を用いても良い。この場合にも、上記各実施形態を用いることで、液晶テレビで静止画を表示したときの画質評価を適切に行うことが可能である。
【００８４】
なお、上記各実施形態では、表示装置として液晶テレビを採用した場合について説明したが、これに限られるものではない。例えば、表示装置として、プラズマテレビや有機ＥＬテレビなど、画像信号をデジタル処理して表示するテレビを採用することもできる。また、表示装置としては、テレビに限らず、パソコンなどのディスプレイを採用することも可能である。
【００８５】
上述した各実施形態は本発明の好適な実施の例である。但し、これに限定されるものではなく、本発明の要旨を逸脱しない範囲内において種々変形実施可能である。
【図面の簡単な説明】
【００８６】
【図１】第１の実施形態の画質評価支援装置に評価対象の液晶テレビが接続された状態を示すブロック図である。
【図２】入力輝度と出力輝度の関係、及び特定範囲の入力輝度に対応する出力輝度を最大値に設定した状態を示すグラフである。
【図３】原画像の表示例を示す図、及び原画像の表示例における輝度分布を示す図である。
【図４】マーカ画像の表示例を示す図、及びマーカ画像の表示例における輝度分布を示す図である。
【図５】図４から、特定範囲を変更したときのマーカ画像の例を示す図、及びその輝度分布を示す図である。
【図６】第１の実施形態の画質評価支援装置の処理を示すフローチャート（その１）である。
【図７】第１の実施形態の画質評価支援装置の処理を示すフローチャート（その２）である。
【図８】第２の実施形態の画質評価支援装置に評価対象の液晶テレビが接続された状態を示すブロック図である。
【図９】第２の実施形態の画質評価装置の処理を示すフローチャートである。
【図１０】液晶テレビに入力する原画像と、液晶テレビの液晶パネルに表示される原画像を比較した図である。
【符号の説明】
【００８７】
５０  液晶テレビ（表示装置）
５０Ａ  液晶テレビ（第１の表示手段）
５０Ｂ  液晶テレビ（第２の表示手段）
１４  マーカ生成部（表示手段の一部、切替手段の一部、第２の表示手段の一部）
２０  出力部（表示手段の一部）
２０Ａ  出力部（第１の表示手段）
２０Ｂ  出力部（第２の表示手段の一部）
１８  ＯＮ／ＯＦＦ切替部（切替手段）
１６  制御値入力Ｉ／Ｆ（特定範囲変更手段）
１００、１００’  画質評価支援装置
Ｍ  反射ミラー（画像合成手段の一部）
ＨＭ  ハーフミラー（画像合成手段の一部）
【図１】
2010010846.tif 000003
【図２】
2010010846.tif 000004
【図３】
2010010846.tif 000005
【図４】
2010010846.tif 000006
【図５】
2010010846.tif 000007
【図６】
2010010846.tif 000008
【図７】
2010010846.tif 000009
【図８】
2010010846.tif 000010
【図９】
2010010846.tif 000011
【図１０】
2010010846.tif 000012